(57)【要約】      （修正有）【課題】従来のハゲ掛竿は、ある一定の目方のハゲ掛鈎しか使用出来なかったが補助バネを取り付け移動さすことにより、いろいろな目方のハゲ掛鈎が使用出来るようになりそれによってハゲ掛竿も一本購入すればよくなる。【解決手段】従来のハゲ掛竿の先端部の本体グラスロット（３）にネジを切ったパイプ（１０）をはめこみ、補助バネ（８）を取り付けナット（９）で両側から固定する。ネジを切ったボルト（１１）を、本体グラスロット（３）に取り付け、そのボルトに補助バネ（８）を取り付けてナット（９）で固定する。長方形の金属板の中をくりぬきチョーネジで補助バネ（８）を固定する。【選択図】図４
0003101509.tif 000002
【実用新案登録請求の範囲】
【請求項１】
現在市販されているハゲ掛竿の先端部〔図３〕の本体グラスロット（３）にネジを切ったパイプ（１０）をかぶせて接着し、補助バネ（８）を通し両側からナット（９）で固定する。
（ナットは、ゆるめられるようにして（Ａ）（Ｂ）どちらの方向にも移動することが出来る。〔図４〕以下も同様）
【請求項２】
現在市販されているハゲ掛竿の先端部〔図３〕にネジを切ったボルト（１１）を本体グラスロット（３）に取り付け、そのボルトに補助バネ（８）を入れて両側からナット（９）でしめつけたもの。〔図５〕
【請求項３】
現在市販されているハゲ掛竿の先端部〔図３〕に長方形の金属板（１３）の中をくりぬき〔図６〕の様にチョーネジ（１２）で補助バネを固定する。この時チョーネジは、ゆるめられる様にしておき左右（Ａ）（Ｂ）どちらにも移動出来るようにしておく。〔図６〕
【考案の詳細な説明】
【０００１】〔産業上の利用分野〕この考案は、ウマヅラハギ、カワハギといった口が小さく餌を取るのが上手な魚をうまく釣れる様に工夫した釣り道具である。
【０００２】〔従来の技術〕ウマヅラハギ、カワハギの様な口の小さな魚は、餌を取るのが非常にうまく〔図７、図８〕の様なハゲ掛鈎といった仕掛けでアタリがあれば、瞬間的に竿をアワス（ひっかける）ため穂先の硬い（強い）投釣竿などで行っていたが、近年〔図１〕の様なハゲ掛竿が市販されるようになってきた。シート（１）にリールを取り付けバネ状の穂先（グラスファイバー，金属）（４）リール糸を通し〔図７、図８〕の掛鈎に餌をつけて海につける。この時、ハゲ掛竿の穂先のささえ部（５）の中ほどに、トップガイド（６）がくるように仕掛けの重さを調節する。ハゲ掛竿を波止の上へ固定しアタリを待つ。微妙で小さなアタリがあれば、瞬時に合わすことが出来るように本体グラスロット（３）は曲がりにくく穂先のささえ部〔図２〕の長さ（大きさ）は１０ｃｍ程度の金属で出来ている。
【０００３】〔考案が解決しようとする課題〕現在市販されているハゲ掛竿はバネ状の穂先（４）の硬さ（強さ）が一定で、ハゲ掛鈎の大きな物（重いもの）を取り付けると穂先が〔図２〕の下側にあたってしまい穂先の役目をしない。例えばある場所で釣りをしていて、場所を移動して波止の先端の方へ行こうとする。そうすると流れがきつく  今まで使用していたハゲ掛鈎では浮いてしまって間に合わなくなりもう少し掛鈎の大きな物（重いもの）が必要になる。したがって穂先の硬い（強い）ハゲ掛竿、穂先の柔らかい（弱い）ハゲ掛竿といったようにハゲ掛鈎の大きさ、重さに合わせて数種類ハゲ掛竿を用意しなければならない。いろいろな種類の重さのハゲ掛鈎が、使用出来る硬さを持った穂先の調節が出来るハゲ掛竿があれば、一本購入すればよく効率的である。
【０００４】〔課題を解決するための手段〕
▲１▼従来のハゲ掛竿の先端部〔図３〕の本体グラスロット（３）にパイプ（１０）（ネジを切った物  金属、プラスチック）をかぶせ〔図４〕のように補助バネ（８）をはめこみ両側からナット（９）でしめる。軽いハゲ掛鈎をつける場合は（Ａ）の方向へ重いハゲ掛鈎をつける場合は（Ｂ）の方向へ補助バネ（８）を移動さし  両側をナット（９）で固定する〔図４〕以下▲２▼も同様にする。
▲２▼〔図５〕の様にネジを切ったボルト（１１）を本体グラスロット（３）に取り付けそのボルトに補助バネ（８）を入れて両側からナット（９）でしめつける。〔図５〕
▲３▼長方形の金属板の中をくりぬき〔図６〕の様にチョーネジで補助バネ（８）を固定する。この時チョーネジは  ゆるめられる様にしておき（Ａ）（Ｂ）どちらの方向にでも移動出来るようにしておく。〔図６〕
【０００５】〔実施例〕バネ状の穂先（４）直径１．５ｍｍのステンレス丸棒を２５ｃｍの長さにして本体グラスロット（３）に取り付ける。ネジを切ったパイプ（１０）（金属、プラスチック）を本体グラスロット（３）に１０ｃｍの長さで〔図４〕のようにかぶせ接着する。補助バネ（８）をセットして（Ａ）の方向へ持っていき両側からナット（９）で固定する。そうすると約１５号（５５ｇ）の重さのハゲ掛鈎をつるすことができＢの方向へ補助バネを持っていきナットでとめると約３０号（１１０ｇ）のハゲ掛鈎をつるすことが出来る。１５号〜３０号までの範囲のハゲ掛鈎を使用することが出来る以下〔図５、図６〕も同様である。
【０００６】〔考案の効果〕以上の点からバネ状の穂先（４）に補助バネ（８）を取り付け（Ａ）（Ｂ）へ移動さすことにより、一本のハゲ掛竿でいろいろな重さのハゲ掛鈎を取り付けることが出来る。
【図面の簡単な説明】
【図１】従来のハゲ掛竿の全体図
【図２】穂先のささえ部
【図３】従来のハゲ掛竿の先端部の図
【図４】
【図５】
【図６】考案のハゲ掛竿の先端部の図
【図７】
【図８】ハゲ掛鈎
【図９】補助バネの拡大図
【符号の説明】
（１）リールシート（２）竿固定二又金具（３）本体グラスロット
（４）バネ状の穂先（金属、グラスファイバー）（５）穂先のささえ部
（６）トップガイド（７）ガイド（８）補助バネ（ステンレス丸棒）
（９）ナット（１０）パイプのネジ切部（１１）ボルトのネジ切部
（１２）チョーネジ（１３）長方形の金属板（１４）掛鈎の餌付部
（１５）引かけ鈎（１６）オモリ（１７）リング
（１８）パイプ及びボルトが入るリング（１９）チョーネジが入るリング
【図１】
0003101509.tif 000003
【図２】
0003101509.tif 000004
【図４】
0003101509.tif 000005
【図５】
0003101509.tif 000006
【図６】
0003101509.tif 000007
【図７】
0003101509.tif 000008
【図８】
0003101509.tif 000009
【図９】
0003101509.tif 000010
【手続補正書】
【提出日】平成15年7月22日(2003.7.22)
【手続補正１】
【補正対象書類名】明細書
【補正対象項目名】実用新案登録請求の範囲
【補正方法】変更
【補正の内容】
【実用新案登録請求の範囲】
【請求項１】
（１）  現在市販されているハゲ掛竿の本体グラスロット先端部にネジを切ったパイプをかぶせ接着する。
（２）  そのパイプに補助バネを通し両側からナットで固定する。以上の構成からなる釣道具。
【請求項２】
（１）  現在市販されているハゲ掛竿の本体グラスロット先端部の上部にボルトを取り付ける。
（２）  そのボルトに補助バネを通し両側からナットで固定する。以上の構成からなる釣道具。
【請求項３】
（１）  現在市販されているハゲ掛竿の本体グラスロット先端部の上部に中をくりぬいた長方形の金属板を取り付ける。
（２）  その金属板にチョーネジを取り付ける。
（３）  そのチョーネジに補助バネを取り付ける
以上の構成からなる釣り道具。
【手続補正２】
【補正対象書類名】図面
【補正対象項目名】全図
【補正方法】変更
【補正の内容】
【図１】
0003101509.tif 000011
【図２】
0003101509.tif 000012
【図３】
0003101509.tif 000013
【図４】
0003101509.tif 000014
【図５】
0003101509.tif 000015
【図６】
0003101509.tif 000016
【図７】
0003101509.tif 000017
【図８】
0003101509.tif 000018
【図９】
0003101509.tif 000019
【手続補正書】
【提出日】平成15年11月17日(2003.11.17)
【手続補正１】
【補正対象書類名】明細書
【補正対象項目名】実用新案登録請求の範囲
【補正方法】変更
【補正の内容】
【実用新案登録請求の範囲】
【請求項１】
本体グラスロットの先端に、ばね状穂先を備えた釣道具において
（１）ネジを切ったパイプを本体グラスロットの先端部に接着する。
（２）そのパイプに補助バネを通し両側からナットで固定する。
以上の構成からなる釣道具。
【請求項２】
本体グラスロットの先端に、ばね状穂先を備えた釣道具において
（１）本体グラスロットの先端上部にボルトを取り付ける。
（２）そのボルトに補助バネを通し両側からナットで固定する。
以上の構成からなる釣道具。
【請求項３】
本体グラスロットの先端に、ばね状穂先を備えた釣道具において
（１）本体グラスロットの先端上部に中をくりぬいた金属板を取り付ける。
（２）その金属板にチョーネジを取り付ける。
（３）そのチョーネジに補助バネを取り付ける。
以上の構成からなる釣道具。